(57)【要約】【課題】精度の高い音量値の調整を行う。【解決手段】マイク４，５は、映像表示装置１０００の周辺音を取得する。ノイズ検出部１２は、周辺音と選択された視聴ソースである選択入力の音声信号とを用いて、周辺音に含まれる周辺ノイズを検出する。制御部１０は、ノイズ検出部１２が検出した周辺ノイズのレベルと、選択入力に対応して記憶されている周辺ノイズのレベルおよび音量値とに基づいて、選択入力の音量値を調整する。【選択図】図２
2014033378.tif 000002
【特許請求の範囲】
【請求項１】
複数種類の視聴ソースを処理する映像表示装置に含まれ、前記複数種類の視聴ソースのうちから選択された視聴ソースである選択入力の音量値を調整する音量調整装置であって、
前記映像表示装置の周辺の音である周辺音を取得するマイクと、
前記周辺音と前記選択入力の音声信号とを用いて、前記周辺音に含まれるノイズである周辺ノイズを検出するノイズ検出部と、
前記ノイズ検出部が検出した前記周辺ノイズのレベルと、前記選択入力に対応して記憶されている前記周辺ノイズのレベルおよび前記音量値とに基づいて、前記選択入力の音量値を調整する制御部と、を備える
音量調整装置。
【請求項２】
前記マイクは、前記映像表示装置の内部および外部を経由して該マイクに到達する前記選択入力の音を含む音を、前記周辺音として取得し、
前記ノイズ検出部は、
（ａ）前記選択入力の音声信号の変化に応じた、前記映像表示装置の内部および外部を経由して前記マイクに到達する前記選択入力の音の特徴を学習し、
（ｂ）学習結果に従って、前記周辺音に含まれる前記周辺ノイズを検出する
請求項１に記載の音量調整装置。
【請求項３】
前記制御部は、前記選択入力の音量値を変更するための外部指示を受信する毎に、
（ｃ）前記ノイズ検出部が検出する前記周辺ノイズのレベルと該外部指示に従った音量値とを取得し、
（ｄ）取得した前記周辺ノイズのレベルおよび該音量値を用いて、前記選択入力毎に、取得した前記周辺ノイズのレベルに対する音量値を示す特性であるＶＮ特性を記憶する
請求項１または２に記載の音量調整装置。
【請求項４】
前記制御部は、さらに、前記映像表示装置の起動の際または前記選択入力が切替わる際において前記選択入力の映像が前記映像表示装置により表示される前に、
（ｅ）前記ノイズ検出部が検出する前記周辺ノイズのレベルを取得し、かつ、
（ｆ）前記選択入力に対応する前記ＶＮ特性に基づいて、前記選択入力の音量値を調整する
請求項３に記載の音量調整装置。
【請求項５】
前記音量調整装置は、さらに、
前記映像表示装置の周辺の映像である周辺映像を取得するカメラと、
前記周辺映像を用いて、所定範囲に存在するユーザを識別する画像処理部と、を備える
請求項１または２に記載の音量調整装置。
【請求項６】
前記制御部は、前記画像処理部により識別されたユーザ毎に、前記ノイズ検出部が検出する前記周辺ノイズのレベルに対する音量値を示す特性であるＶＮ特性を記憶し、
前記制御部は、前記画像処理部により識別された前記ユーザに対応するＶＮ特性に基づいて、前記選択入力の音量値を調整する
請求項５に記載の音量調整装置。
【請求項７】
複数種類の視聴ソースを処理する映像表示装置に含まれ、前記複数種類の視聴ソースのうちから選択された視聴ソースである選択入力の音量値を調整する音量調整装置が行う音量調整方法であって、
前記映像表示装置の周辺の音である周辺音と前記選択入力の音声信号とを用いて、前記周辺音に含まれるノイズである周辺ノイズを検出するステップと、
検出された前記周辺ノイズのレベルと、前記選択入力に対応して記憶されている前記周辺ノイズのレベルおよび前記音量値とに基づいて、前記選択入力の音量値を調整するステップと、を含む
音量調整方法。
【発明の詳細な説明】
【技術分野】
【０００１】
本発明は、音量値を自動で調整する音量調整装置および音量調整方法に関する。
【背景技術】
【０００２】
従来のテレビジョン受像機等の映像表示装置は、周辺ノイズ（雑音）の変動に対して、ユーザ（視聴者）がリモコンや映像表示装置のボタンを使用して、映像表示装置の音量を調整していた。また、映像表示装置が表示する映像コンテンツ（視聴ソース）は、放送波に含まれるコンテンツ、外部アナログ入力端子から得るコンテンツ、外部デジタル入力端子から得るコンテンツ、内蔵ハードディスク、記録媒体等に記憶されたコンテンツなど、多岐に渡る。当該記録媒体は、例えば、ＢＤ（Blu-ray Disc）、ＤＶＤ（Digital Versatile Disc）等である。
【０００３】
選択された入力、すなわち、選択された映像コンテンツの種類によっては、当該映像コンテンツの音量レベルが異なり、周辺ノイズに変化がなくても、映像コンテンツの種類を変更するたびに音量を調整する必要があった。本明細書において、ノイズは、雑音を意味する。以下においては、選択された映像コンテンツを、選択入力ともいう。
【０００４】
上記問題を解決するために、特許文献１には、リモコンユニットに内蔵されたマイクロホンで音圧レベルを測定し、周辺ノイズに応じて音圧レベルを補正する技術が開示されている（以下、従来技術Ａともいう）。なお、従来技術Ａでは、選択される映像コンテンツの種類が変化する毎に、音量の調整を行う処理は行わない。
【０００５】
また、特許文献２には、表示される映像コンテンツの種類（選択入力）が変化する毎に、音量の調整を行う技術が開示されている（以下、従来技術Ｂともいう）。具体的には、従来技術Ｂでは、チューナから得る映像コンテンツ、外部入力端子から得る映像コンテンツなど、映像コンテンツの種類（選択入力）毎に調整データを記憶しておく。そして、表示される映像コンテンツの種類（選択入力）が変化する毎に、当該映像コンテンツの種類（選択入力）に対応する調整データを利用して、音量の調整が行われる。なお、従来技術Ｂの音量調整では、周辺ノイズの影響が考慮されていない。
【先行技術文献】
【特許文献】
【０００６】
【特許文献１】特開２００５−００６２４７号公報
【特許文献２】特開平７−２２２０７８号公報
【発明の概要】
【発明が解決しようとする課題】
【０００７】
しかしながら、従来技術Ａおよび従来技術Ｂでは、以下の問題点があった。一般に、映像コンテンツを表示している映像表示装置の周辺のノイズのレベルは、一定ではない。また、映像表示装置が表示している映像コンテンツの種類（選択入力）によっては、音量レベルが異なる。そのため、精度の高い音量調整が必要な場合、ユーザが、適宜、映像表示装置の音量を調整する必要がある。従来技術Ａおよび従来技術Ｂでは、１つの要素（例えば、ノイズ）に基づいて音量調整を行うため、音量調整の精度が十分とは言えない。
【０００８】
本発明は、このような問題を解決するためになされたものであり、精度の高い音量値の調整を行うことが可能な音量調整装置等を提供することを目的とする。
【課題を解決するための手段】
【０００９】
上記目的を達成するために、本発明の一態様に係る音量調整装置は、複数種類の視聴ソースを処理する映像表示装置に含まれ、前記複数種類の視聴ソースのうちから選択された視聴ソースである選択入力の音量値を調整する音量調整装置であって、前記映像表示装置の周辺の音である周辺音を取得するマイクと、前記周辺音と前記選択入力の音声信号とを用いて、前記周辺音に含まれるノイズである周辺ノイズを検出するノイズ検出部と、前記ノイズ検出部が検出した前記周辺ノイズのレベルと、前記選択入力に対応して記憶されている前記周辺ノイズのレベルおよび前記音量値とに基づいて、前記選択入力の音量値を調整する制御部と、を備える。
【発明の効果】
【００１０】
本発明によれば、制御部が、ノイズ検出部が検出した周辺ノイズのレベルと、選択入力に対応して記憶されている周辺ノイズのレベルおよび音量値とに基づいて、選択入力の音量値を調整する。すなわち、周辺ノイズのレベルに加え、選択入力に対応して記憶されている周辺ノイズのレベルおよび音量値を利用して、選択入力の音量値を調整する。これにより、精度の高い音量値の調整を行うことができる。
【図面の簡単な説明】
【００１１】
【図１】本発明の実施の形態１に係る映像表示装置の概観図である。
【図２】本発明の実施の形態１に係る映像表示装置の内部構成を示すブロック図である。
【図３】情報記憶処理のフローチャートである。
【図４】起動期間音量調整処理のフローチャートである。
【図５】起動後音量調整処理のフローチャートである。
【図６】情報記憶処理Ａのフローチャートである。
【図７】起動期間音量調整処理Ａのフローチャートである。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜実施の形態１＞
図１は、本発明の実施の形態１に係る映像表示装置１０００の概観図である。映像表示装置１０００は、映像を示す映像コンテンツを表示する。以下においては、映像コンテンツを、視聴ソースともいう。映像表示装置１０００は、例えば、テレビジョン受像機である。なお、映像表示装置１０００は、テレビジョン受像機に限定されず、例えば、ＰＣ（Personal computer）等に接続されるモニターであってもよい。
【００１４】
図１を参照して、映像表示装置１０００は、筐体１と、スピーカ２，３と、マイク４，５と、カメラ６と、表示部２０とを備える。
【００１５】
スピーカ２，３、マイク４，５、カメラ６および表示部２０は、筐体１に設けられる。すなわち、スピーカ２，３、マイク４，５、カメラ６および表示部２０は、筐体１の各々は、映像表示装置１０００に内蔵される。
【００１６】
スピーカ２，３は、音を出力する。マイク４，５は、映像表示装置１０００の周辺の音を、随時取得する。以下においては、映像表示装置１０００の周辺の音を、周辺音ともいう。
【００１７】
表示部２０は、映像コンテンツを表示する。具体的には、表示部２０は、映像コンテンツを表示する表示面２０ｎを有する。表示部２０は、表示面２０ｎに映像コンテンツを表示する。
【００１８】
カメラ６は、表示部２０の表示面２０ｎと対向する、映像表示装置１０００の周辺である所定範囲の映像を取得する（撮る）。当該所定範囲は、カメラ６が映像を撮ることが可能な範囲（空間）である。以下においては、表示部２０の表示面２０ｎと対向する、映像表示装置１０００の周辺（所定範囲）の映像を、周辺映像ともいう。カメラ６は、周辺映像を、後述の画像処理部１３へ送信する。
【００１９】
なお、映像表示装置１０００が備えるスピーカおよびマイクの数は、２に限定されず、１または３以上であってもよい。
【００２０】
図２は、本発明の実施の形態１に係る映像表示装置１０００の内部構成を示すブロック図である。
【００２１】
映像表示装置１０００は、さらに、チューナ８と、復調部９と、制御部１０と、ノイズ検出部１２と、画像処理部１３と、外部入力端子１４と、映像・音声処理部１５と、ＨＤＤ（Hard disk drive）１６と、記録媒体読取り部１７と、受信部１８とを備える。
【００２２】
また、映像表示装置１０００は、音量調整装置１００を含む。音量調整装置１００は、カメラ６、画像処理部１３、マイク４，５、ノイズ検出部１２および制御部１０を備える。
【００２３】
制御部１０は、映像表示装置１０００内の各部を制御する。制御部１０は、例えば、所定のプログラムに従って動作するＣＰＵ（Central Processing Unit）である。
【００２４】
受信部１８は、リモートコントローラ３０と無線通信を行う。リモートコントローラ３０には、図示しない複数のボタンが設けられる。以下においては、ユーザによるリモートコントローラ３０のボタンの操作を、ユーザ操作Ｍともいう。
【００２５】
リモートコントローラ３０は、ユーザ操作Ｍに従った制御信号（外部指示）を、受信部１８へ送信する。受信部１８は、受信した制御信号を、制御部１０へ送信する。制御部１０は、制御信号に従った処理を行う。
【００２６】
また、映像表示装置１０００の外部には、図示しないボタンが設けられる。以下においては、ユーザによる映像表示装置１０００の外部のボタンの操作も、ユーザ操作Ｍともいう。受信部１８は、映像表示装置１０００の外部のボタンに対するユーザ操作Ｍにより発生する信号も受信する。
【００２７】
チューナ８は、アンテナ７からの放送波を受信する。当該放送波は、映像コンテンツを含む。チューナ８は、受信した放送波を、復調部９へ送信する。以下においては、放送波に含まれる映像コンテンツを、放送コンテンツともいう。
【００２８】
復調部９は、放送波を復調することにより放送コンテンツ（映像コンテンツ）を取得する。復調部９は、制御部１０からの指示に応じて、取得した放送コンテンツを、制御部１０へ送信する。
【００２９】
外部入力端子１４は、アナログ入力端子またはデジタル入力端子である。なお、外部入力端子１４は、複数設けられてもよい。この場合、映像表示装置１０００には、アナログ入力端子およびデジタル入力端子が設けられる。
【００３０】
外部入力端子１４には、映像コンテンツを出力する外部装置が接続されている。外部入力端子１４は、外部装置から映像コンテンツを受信する。以下においては、外部入力端子１４が、外部装置から受信する映像コンテンツを、外部コンテンツともいう。制御部１０は、外部入力端子１４を介して、外部装置から外部コンテンツを受信する。外部入力端子１４は、外部コンテンツを、映像・音声処理部１５へ送信する。
【００３１】
映像・音声処理部１５は、外部コンテンツの映像フォーマットおよび音声フォーマットを、制御部１０が処理可能なフォーマットに変換する。映像・音声処理部１５は、制御部１０からの指示に応じて、変換後の外部コンテンツを、制御部１０へ送信する。
【００３２】
ＨＤＤ１６は、映像コンテンツを記憶している。以下においては、ＨＤＤ１６が記憶している映像コンテンツを、内部コンテンツともいう。ＨＤＤ１６は、制御部１０からの読み出し指示に応じて、内部コンテンツを、制御部１０へ送信する。
【００３３】
記録媒体読取り部１７は、図示しない記録媒体に記憶されている映像コンテンツを読み出す。以下においては、記録媒体に記憶されている映像コンテンツを、媒体コンテンツともいう。記録媒体は、ＢＤ，ＤＶＤ等である。記録媒体読取り部１７は、例えば、ブルーレイディスクドライブである。記録媒体読取り部１７は、制御部１０からの指示に応じて、媒体コンテンツを、制御部１０へ送信する。
【００３４】
なお、映像表示装置１０００は、ＨＤＤ１６および記録媒体読取り部１７の一方または両方を含まなくてもよい。
【００３５】
以上のように、制御部１０は、放送コンテンツ、外部コンテンツ、内部コンテンツおよび媒体コンテンツといった、複数種類の映像コンテンツを受信する。すなわち、映像表示装置１０００は、当該複数種類の映像コンテンツ（視聴ソース）を処理する。
【００３６】
なお、制御部１０は、一度には、１種類の映像コンテンツのみ選択して受信する。放送コンテンツ、外部コンテンツ、内部コンテンツおよび媒体コンテンツの各々は、音声信号を含む。
【００３７】
制御部１０は、映像表示装置１０００の起動時には、所定の映像コンテンツ（例えば、放送コンテンツ）を選択する。映像表示装置１０００が動作している場合、制御部１０は、リモートコントローラ３０から、映像コンテンツの種類を選択するための制御信号を受信した場合、指定された種類の映像コンテンツを選択する。以下においては、制御部１０が選択対象とした映像コンテンツ、および、制御部１０が選択している映像コンテンツを、選択映像コンテンツまたは選択入力ともいう。すなわち、選択映像コンテンツ（選択入力）は、映像表示装置１０００が処理する複数種類の映像コンテンツ（視聴ソース）のうちから選択された映像コンテンツ（視聴ソース）である。
【００３８】
そして、制御部１０は、例えば、復調部９、映像・音声処理部１５、ＨＤＤ１６および記録媒体読取り部１７のいずれかに、選択映像コンテンツの要求指示を送信することにより、選択映像コンテンツを受信する。
【００３９】
制御部１０は、受信した選択映像コンテンツを、表示部２０へ送信する。表示部２０は、受信した選択映像コンテンツを表示する。
【００４０】
また、制御部１０は、音声処理部１１を含む。
【００４１】
音声処理部１１は、受信した選択映像コンテンツに含まれる音声信号を、スピーカ２，３へ送信する。スピーカ２，３は、受信した音声信号により得られる音を出力する。すなわち、表示部２０が、選択映像コンテンツを表示している場合、当該選択映像コンテンツの音が、スピーカ２，３から出力される。
【００４２】
また、音声処理部１１は、受信した選択映像コンテンツに含まれる音声信号を、ノイズ検出部１２へ送信する。
【００４３】
マイク４，５は、取得した周辺音を示す周辺音信号を、随時、ノイズ検出部１２へ送信する。
【００４４】
ノイズ検出部１２は、随時、周辺音信号を受信する。ノイズ検出部１２は、詳細は後述するが、映像表示装置１０００の周辺の音（周辺音）に含まれるノイズを検出する。少し具体的には、ノイズ検出部１２は、周辺音と選択映像コンテンツ（選択入力）の音声信号とを用いて、周辺音に含まれるノイズである周辺ノイズを検出する。
【００４５】
なお、音声処理部１１は、制御部１０に含まれず、制御部１０と並べて配置されてもよい。
【００４６】
マイク４，５が取得する周辺音は、ノイズと、スピーカ２，３から出力される選択映像コンテンツの音とを含む。マイク４，５が取得する周辺音に含まれる当該選択映像コンテンツの音は、映像表示装置１０００（筐体１）の内部および外部を経由してマイク４，５に到達する選択映像コンテンツの音である。すなわち、マイク４，５は、映像表示装置１０００の内部および外部を経由して該マイク４，５に到達する選択映像コンテンツ（選択入力）の音を含む音を、周辺音として取得する。
【００４７】
以下においては、映像表示装置１０００（筐体１）の内部および外部を経由して該マイク４，５に到達する選択映像コンテンツ（選択入力）の音を、出力コンテンツ音ともいう。また、以下においては、周辺音に含まれる出力コンテンツ音（選択映像コンテンツの音）に関係しない音を、周辺ノイズともいう。精度の高い、選択映像コンテンツの音量調整を行うためには、周辺ノイズを考慮する必要がある。すなわち、周辺音から、周辺ノイズのみを取得する必要がある。
【００４８】
そのため、前述したように、音声処理部１１は、受信した選択映像コンテンツに含まれる音声信号を、ノイズ検出部１２へ送信する。ノイズ検出部１２は、マイク４，５が取得した周辺音から、周辺ノイズ（ノイズ成分）のみを取得する。周辺ノイズの取得は、後述のノイズ取得処理により行われる。
【００４９】
具体的には、ノイズ検出部１２は、音声処理部１１から受信する選択映像コンテンツ（選択入力）の音声信号を元に、周辺音信号が示す周辺音に含まれる出力コンテンツ音（選択映像コンテンツの音）の変化を学習（記憶）する。以下においては、選択映像コンテンツ（選択入力）の音声信号を、コンテンツ音声信号ともいう。
【００５０】
より詳細には、ノイズ検出部１２は、受信するコンテンツ音声信号が示す音の変化に伴って変化する、出力コンテンツ音の特徴（変化）を学習（記憶）する。すなわち、ノイズ検出部１２は、受信するコンテンツ音声信号の変化に応じた、出力コンテンツ音の特徴（変化）を学習（記憶）する。当該出力コンテンツ音の特徴の学習は、例えば、以下のノイズ取得処理により行われる。ノイズ取得処理は、映像表示装置１０００が起動している期間において、他の処理とは独立して繰り返し行われる。ノイズ取得処理は、音量調整装置１００により行われる。
【００５１】
ノイズ取得処理では、例えば、ノイズ検出部１２は、コンテンツ音声信号のレベルの単位時間当たりの変化量に対する、周辺音信号が示す周辺音のレベルの当該単位時間あたりの変化量の比率を示す音変化比率を、随時、算出する。周辺音のレベルは、例えば、デシベルで表現される。ノイズ検出部１２は、音変化比率を算出する毎に、音レベル算出処理を行う。
【００５２】
音レベル算出処理では、ノイズ検出部１２が、例えば、最新の音変化比率を含む、過去の複数の音変化比率の平均値を、特定音変化比率として算出する。すなわち、ノイズ検出部１２は、特定音変化比率を算出することにより、出力コンテンツ音の特徴（変化）を学習（記憶）する。そして、ノイズ検出部１２は、コンテンツ音声信号の最新のレベルに、最新の特定音変化比率を乗算することにより、出力コンテンツ音のレベルを算出する。
【００５３】
そして、ノイズ検出部１２は、マイク４，５から受信する周辺音信号が示す、最新の周辺音のレベルと、算出した出力コンテンツ音のレベルとの差分を、周辺ノイズのレベルとして検出（取得）する。すなわち、ノイズ検出部１２は、周辺音信号が示す周辺音から、周辺ノイズを検出する。以下においては、周辺ノイズのレベルを、周辺ノイズレベルともいう。周辺ノイズレベルは、例えば、デシベルで表現される。
【００５４】
以上により、ノイズ取得処理が終了する。なお、周辺ノイズレベルの取得方法は、上記処理に限定されず、他の方法であってもよい。以上のノイズ取得処理により、ノイズ検出部１２は、出力コンテンツ音の特徴の学習結果に従って、周辺音に含まれる周辺ノイズを検出する。つまり、ノイズ検出部１２は、マイク４，５で取得された周辺音から、周辺ノイズ（ノイズ成分）を取り出すことができる。
【００５５】
画像処理部１３は、カメラ６から周辺映像を受信する。画像処理部１３は、人間の顔を認識する顔認識処理により、周辺映像がユーザ（人間）の顔を示すか否かを判定する。なお、顔認識処理は、周知な技術であるので詳細な説明は行わない。なお、画像処理部１３は、周辺映像がユーザの顔を示すと判定した場合、顔認識処理により、当該ユーザを識別する。また、画像処理部１３は、顔認識処理により、ユーザの数を特定する。
【００５６】
次に、情報を記録するための処理（以下、情報記憶処理ともいう）について説明する。図３は、情報記憶処理のフローチャートである。情報記憶処理は、他の処理とは独立して行われる。情報記憶処理は、映像表示装置１０００の起動の際に開始される。情報記憶処理は、音量調整装置１００により行われる。以下の情報記憶処理の説明におけるユーザ操作Ｍは、一例として、ユーザによるコントローラ３０に対する操作であるとする。以下においては、選択映像コンテンツの種類を、コンテンツ種類ともいう。
【００５７】
まず、ステップＳ１１０で、制御部１０が、起動コンテンツを選択し、当該起動コンテンツ（選択映像コンテンツ（選択入力））の種類を、一時的に、最新のコンテンツ種類として記憶する。起動コンテンツとは、映像表示装置１０００が起動する際に、予め選択することが決められている種類の映像コンテンツである。起動コンテンツは、映像表示装置１０００の起動後に、表示部２０が表示する映像コンテンツである。なお、起動コンテンツは、映像表示装置１０００が、前回の映像表示装置１０００の電源オフの際に表示していた映像コンテンツであってもよい。
【００５８】
例えば、起動コンテンツが放送コンテンツである場合、制御部１０は、起動コンテンツの種類を、「放送コンテンツ」と判定する。以下においては、コンテンツ種類「放送コンテンツ」を、「Ｉｔｖ」とも表記する。この場合、制御部１０は、一時的に、「Ｉｔｖ」を記憶する。
【００５９】
ステップＳ１２０では、制御部１０が、選択映像コンテンツの種類（選択入力）の変更があったか否かを判定する。選択映像コンテンツの種類の変更は、コンテンツ種類変更操作があった場合に行われる。コンテンツ種類変更操作とは、表示部２０が表示している選択映像コンテンツの種類を変更するためのユーザ操作Ｍである。
【００６０】
コンテンツ種類変更操作があった場合、リモートコントローラ３０は、コンテンツ種類変更操作の内容を示すコンテンツ種類変更信号を、受信部１８を介して、制御部１０へ送信する。制御部１０は、コンテンツ種類変更信号に従って、表示部２０へ送信する選択映像コンテンツを変更する。
【００６１】
ここで、表示部２０が表示している選択映像コンテンツが放送コンテンツであるとする。また、コンテンツ種類変更信号は、例えば、表示部２０が表示する映像コンテンツを、放送コンテンツから外部コンテンツに切替えるための信号であるとする。この場合、当該コンテンツ種類変更信号を受信した制御部１０は、外部入力端子１４を介して、外部装置から外部コンテンツを受信する。そして、制御部１０は、受信した外部コンテンツを、表示部２０へ送信する。これにより、表示部２０が表示する選択映像コンテンツの種類（選択入力）が変更される。
【００６２】
ステップＳ１２０において、ＹＥＳならば、処理はステップＳ１２１に移行する。ステップＳ１２０でＹＥＳの場合は、制御部１０がコンテンツ種類変更信号を受信して、上記のような処理を行った場合である。一方、ステップＳ１２０において、ＮＯならば、処理は後述のステップＳ１３０に移行する。
【００６３】
ステップＳ１２１では、制御部１０が、一時的に、変更後のコンテンツ種類を、最新のコンテンツ種類として記憶する。以下においては、コンテンツ種類「外部コンテンツ」を、「Ｉｅｘ」とも表記する。例えば、制御部１０が、前述の外部コンテンツに切替えるためのコンテンツ種類変更信号を受信した場合、一時的に、「Ｉｅｘ」を、最新のコンテンツ種類として記憶する。
【００６４】
ステップＳ１３０では、制御部１０が、音量値の変更があったか否かを判定する。音量値の変更は、音量変更操作があった場合に行われる。音量変更操作とは、選択映像コンテンツの音量値を変更するためのユーザ操作Ｍである。音量変更操作は、例えば、音量値を、１増加または１減算させるための操作である。なお、音量変更操作は、音量値を直接指定する操作であってもよい。
【００６５】
音量変更操作があった場合、リモートコントローラ３０は、音量変更操作の内容を示す音量変更信号を、受信部１８を介して、制御部１０へ送信する。音量変更信号は、選択映像コンテンツ（選択入力）の音量値を変更するための外部指示である。
【００６６】
制御部１０は、音量変更信号に従って、音量値を変更する。ここで、例えば、音量変更信号が音量値を、１増加させるための信号であるとする。この場合、当該音量変更信号を受信した制御部１０は、表示部２０が表示している選択映像コンテンツの音量値を１増加させる。
【００６７】
ステップＳ１３０において、ＹＥＳならば、処理はステップＳ１３１に移行する。ステップＳ１３０でＹＥＳの場合は、制御部１０が音量変更信号を受信して、音量値を変更した場合である。一方、ステップＳ１３０において、ＮＯならば、再度、ステップＳ１２０の処理が行われる。
【００６８】
ステップＳ１３１では、制御部１０が、変更後の音量値を、一時的に記憶する。以下においては、変更後の音量値を、変更済音量値ともいう。変更済音量値は、例えば、Ｖ１（自然数）である。
【００６９】
ステップＳ１４０では、ノイズの検出が行われる。具体的には、前述のノイズ取得処理により、ノイズ検出部１２が、マイク４，５が取得した周辺音から、周辺ノイズレベルを取得する。
【００７０】
そして、ノイズ検出部１２は、取得した最新の周辺ノイズレベルを、制御部１０へ送信する。周辺ノイズレベルは、例えば、デシベルで表現される。
【００７１】
そして、制御部１０は、ノイズ検出部１２から受信した最新の周辺ノイズレベルを一時的に記憶する。周辺ノイズレベルは、例えば、Ｎ１（例えば、−１０）である。
【００７２】
ステップＳ１３０でＹＥＳである場合、ステップＳ１３１，Ｓ１４０の処理が行われる。これにより、制御部１０は、音量変更信号（外部指示）を受信する毎に、ノイズ検出部１２が検出する最新の周辺ノイズのレベルと該音量変更信号に従った音量値とを取得する。
【００７３】
ステップＳ１５０では、音量情報記憶処理が行われる。音量情報記憶処理では、制御部１０が、一時的に記憶している、最新のコンテンツ種類、最新の周辺ノイズレベルおよび最新の変更済音量値を対応づけた情報を、記憶部１０ａに記憶させる。以下においては、最新のコンテンツ種類、最新の周辺ノイズレベルおよび最新の変更済音量値を対応づけた情報を、音量情報ともいう。
【００７４】
ここで、例えば、最新のコンテンツ種類、最新の周辺ノイズレベルおよび最新の変更済音量値が、それぞれ、Ｉｔｖ、Ｎ１およびＶ１であるとする。この場合、記憶部１０ａには、音量情報「Ｉｔｖ：Ｎ１：Ｖ１」が記憶される。
【００７５】
以下においては、最新の周辺ノイズレベルに対する音量値を示す特性をＶＮ特性ともいう。すなわち、ＶＮ特性は、周辺ノイズレベルと音量値との関係を示す。ＶＮ特性は、例えば、前述の音量情報「Ｉｔｖ：Ｎ１：Ｖ１」のうちの「Ｎ１：Ｖ１」である。すなわち、ＶＮ特性「Ｎ１：Ｖ１」は、最新のコンテンツ種類「Ｉｔｖ」に対応付けられる。
【００７６】
なお、１回目のステップＳ１５０の処理において、記憶対称の周辺ノイズレベルが、後述の所定範囲Ｎｍ１内の値である場合、音量情報の周辺ノイズレベルは、Ｎｍ１としてもよい。この場合、記憶部１０ａには、音量情報「Ｉｔｖ：Ｎｍ１：Ｖ１」が記憶される。「Ｉｔｖ：Ｎｍ１：Ｖ１」のうち「Ｎｍ１：Ｖ１」が、ＶＮ特性である。すなわち、ＶＮ特性は、最新の周辺ノイズレベルに適する音量値（例えば、Ｖ１）を示す特性である。つまり、ＶＮ特性は、最新の周辺ノイズレベルに対する音量値を示す特性である。
【００７７】
なお、２回目以降のステップＳ１５０の処理において、記憶対象の音量情報が示すコンテンツ種類が既に記憶されている場合、最新の周辺ノイズレベルは、所定範囲Ｎｍ１，Ｎｍ２，・・・，Ｎｍｋ（ｋ：自然数）のうち、当該最新の周辺ノイズレベルを示す所定範囲に設定される（割り当てられる）。そして、制御部１０は、設定された所定範囲を、音量情報の周辺ノイズレベルとして、記憶部１０ａに記憶させる。
【００７８】
所定範囲Ｎｍ１，Ｎｍ２，・・・，Ｎｍｋの各々は、予め設定された互いに異なる範囲（分割範囲）の値を示す。所定範囲Ｎｍ１，Ｎｍ２，・・・，Ｎｍｋの各々は、例えば、連続する６個の値の範囲である。所定範囲Ｎｍ１は、例えば、−１０〜−１５の範囲であるとする。
【００７９】
なお、所定範囲Ｎｍ１が示す値の範囲は、上記以外の範囲であってもよい。また、所定範囲Ｎｍ１，Ｎｍ２，・・・，Ｎｍｋの各々が示す値の数は、６に限定されず、２〜５、７以上であってもよい。
【００８０】
また、２回目以降のステップＳ１５０の処理において、記憶対象の音量情報が示すコンテンツ種類が既に記憶されている場合、既に記憶されている、同じコンテンツ種類の音量値と、最新の変更済音量値との平均値Ｖｍが、音量情報の音量値として、記憶部１０ａに記憶される。
【００８１】
ステップＳ１５０の処理の後、再度、ステップＳ１２０の処理が行われる。
【００８２】
次に、音量変更操作が複数回行われた場合の処理について説明する。ここで、ユーザが、音量変更操作を３回行ったとする。この場合、情報記憶処理において、ステップＳ１５０の処理が３回行われる。また、３回のステップＳ１５０の処理にそれぞれ対応する３つの音量情報は、それぞれ、「Ｉｔｖ：Ｎ１：Ｖ１」、「Ｉｔｖ：Ｎ２：Ｖ２」および「Ｉｔｖ：Ｎ３：Ｖ３」であるとする。また、一例として、Ｎ１＝−１０、Ｎ２＝−１３、Ｎ３＝−１１、Ｖ１＝２０、Ｖ２＝２２、Ｖ３＝２１であるとする。
【００８３】
この場合、３回目のステップＳ１５０において、Ｎ１，Ｎ２，Ｎ３は、所定範囲Ｎｍ１（−１０〜−１５）内の値であるので、制御部１０は、Ｎ１，Ｎ２，Ｎ３を、Ｎｍ１と設定する。また、Ｖ１，Ｖ２，Ｖ３の平均値Ｖｍは、２１である。そのため、制御部１０は、音量情報「Ｉｔｖ：Ｎｍ１：Ｖｍ」を、記憶部１０ａに記憶させる。
【００８４】
なお、音量情報「Ｉｔｖ：Ｎｍ１：Ｖｍ」のうち「Ｎｍ１：Ｖｍ」が、ＶＮ特性である。すなわち、ＶＮ特性は、最新の周辺ノイズレベルに適する音量値（例えば、Ｖｍ）を示す特性である。つまり、ＶＮ特性は、最新の周辺ノイズレベルに対する音量値を示す特性である。
【００８５】
情報記憶処理のステップＳ１３０，Ｓ１５０の処理により、制御部１０は、取得した最新の周辺ノイズレベルおよび音量値を用いて、音量変更信号（外部指示）を受信する毎に、選択映像コンテンツの種類（選択入力）毎に、ＶＮ特性を記憶（構築）する。これにより、音量調整装置１００は、周辺ノイズレベルに対して、ユーザが設定した音量値を学習することができる。
【００８６】
なお、ステップＳ１５０の処理が複数回行われても、周辺ノイズレベルは設定された所定範囲の値として記憶されず、１回目のステップＳ１５０の処理と同様、最新の周辺ノイズレベルが記憶されてもよい。
【００８７】
また、ステップＳ１５０の処理が複数回行われても、音量情報の音量値は平均値として記憶されず、１回目のステップＳ１５０の処理と同様、最新の音量値が記憶されてもよい。すなわち、ステップＳ１５０の処理が行われた回数と同じ数の音量情報が、記憶部１０ａに記憶されてもよい。
【００８８】
次に、情報記憶処理の一例を説明する。ここで、表示部２０が表示している選択映像コンテンツの種類は、「放送コンテンツ」であるとする。また、音量変更操作が１回行われたとする。また、変更後の音量値は、Ｖ１であるとする。また、周辺ノイズレベルは、Ｎ１であるとする。
【００８９】
この場合、図３において、ステップＳ１１０で、制御部１０は、一時的に、「Ｉｔｖ」を記憶する。その後、ステップＳ１３０でＹＥＳと判定され、ステップＳ１３１で、制御部１０が、音量値Ｖ１を、一時的に記憶する。その後、ステップＳ１４０で、ノイズの検出が行われる。そして、制御部１０は、一時的に、周辺ノイズレベルＮ１を記憶する。その後、ステップＳ１５０で、制御部１０は、音量情報「Ｉｔｖ：Ｎ１：Ｖ１」を、記憶部１０ａに記憶させる。そして、再度、ステップＳ１１０の処理が行われる。
【００９０】
次に、音量調整装置１００が行う、音量を自動で調整するための処理（以下、音量調整処理ともいう）について説明する。音量の調整は、映像表示装置１０００の起動の際、または、選択映像コンテンツの種類（選択入力）が切替わる際に行われる。映像表示装置１０００の起動の際とは、後述の起動期間である。選択映像コンテンツの種類（選択入力）が切替わる際とは、後述のコンテンツ種類変更期間である。
【００９１】
具体的には、音量の調整は、以下の音非出力期間に行われる。ここで、音非出力期間とは、スピーカ２，３が映像コンテンツ（起動コンテンツまたは選択映像コンテンツ）の音を出力していない期間である。
【００９２】
音非出力期間とは、起動期間またはコンテンツ種類変更期間である。起動期間は、ユーザにより電源オン操作が行われた後から、映像表示装置１０００が選択映像コンテンツ（選択入力の映像）を表示するまで（すなわち、映像表示装置１０００が選択映像コンテンツの音を出力するまで）の間である。当該電源オン操作とは、選択映像コンテンツの電源をオンにするためのユーザ操作Ｍである。電源オン操作は、コントローラ３０に設けられた電源ボタンを押下する操作、または、映像表示装置１０００に設けられた電源ボタンを押下する操作である。コントローラ３０は、電源オン操作があった場合、電源オン信号を、映像表示装置１０００へ送信する。映像表示装置１０００は、電源オン信号を受信すると、起動を開始する。
【００９３】
また、コンテンツ種類変更期間は、ユーザにより前述のコンテンツ種類変更操作が行われた後から、映像表示装置１０００が変更後の選択映像コンテンツの音を出力するまで（映像表示装置１０００が選択映像コンテンツを表示するまで）の間である。
【００９４】
詳細は後述するが、音非出力期間において、ノイズ検出部１２は、周辺ノイズレベルを取得し、記憶されている音量情報に基づき、音量値が調整される。
【００９５】
次に、起動期間に行われる音量調整処理について説明する。以下においては、起動期間に行われる音量調整処理を、起動期間音量調整処理ともいう。
【００９６】
図４は、起動期間音量調整処理のフローチャートである。起動期間音量調整処理は、他の処理とは独立して行われる。起動期間音量調整処理は、前述の電源オン操作が行われることにより、映像表示装置１０００が起動する際に、音量調整装置１００により行われる。
【００９７】
ステップＳ２１０では、ステップＳ１１０と同様に、制御部１０が、起動コンテンツ（選択映像コンテンツ）の種類を、一時的に、最新のコンテンツ種類として記憶する。例えば、起動コンテンツが放送コンテンツである場合、制御部１０は、一時的に、コンテンツ種類「Ｉｔｖ」を記憶する。
【００９８】
ステップＳ２２０では、ステップＳ１４０と同様に、前述のノイズ取得処理により、ノイズの検出が行われるので詳細な説明は繰り返さない。すなわち、ステップＳ２２０の処理では、映像表示装置１０００の周辺音と選択映像コンテンツの音声信号とを用いて、周辺音に含まれる周辺ノイズを検出する。この処理により、制御部１０は、一時的に、最新の周辺ノイズレベルを記憶する。最新の周辺ノイズレベルは、例えば、Ｎ２である。
【００９９】
ステップＳ２３１では、制御部１０が、一致音量情報が、記憶部１０ａに記憶されているか否かを判定する。一致音量情報とは、制御部１０が記憶している最新のコンテンツ種類および最新の周辺ノイズレベルを示す音量情報である。
【０１００】
ここで、前述の起動コンテンツの種類が「放送コンテンツ」であるとする。また、最新の周辺ノイズレベルは、Ｎ２（−１３）であるとする。この場合、一致音量情報は、「Ｉｔｖ」と、−１３を示す所定範囲Ｎｍ１（−１０〜−１５）とを示す音量情報である。当該一致音量情報は、例えば、ＶＮ特性「Ｎｍ１：Ｖｍ」を示す音量情報「Ｉｔｖ：Ｎｍ１：Ｖｍ」である。この場合、ＶＮ特性「Ｎｍ１：Ｖｍ」は、最新のコンテンツ種類（選択映像コンテンツ（選択入力））に対応する特性である。
【０１０１】
ステップＳ２３１において、ＹＥＳならば、処理はステップＳ２４０に移行する。一方、ステップＳ２３１において、ＮＯならば、音量値調整は行われず、処理は図３のステップＳ１２０に移行する。
【０１０２】
ステップＳ２４０では、音量値調整が行われる。具体的には、制御部１０が、一致音量情報が示す音量値（例えば、Ｖｍ（２２））を、選択映像コンテンツの音量値に調整（設定）する。すなわち、ステップＳ２４０の処理は、制御部１０が、周辺ノイズのレベルと、選択映像コンテンツの種類（選択入力）に対応して記憶されている周辺ノイズのレベルおよび音量値とに基づいて、選択映像コンテンツ（選択入力）の音量値を調整する処理である。
【０１０３】
以下においては、調整された音量値を、調整音量値ともいう。一致音量情報が示す音量値は、ユーザが設定した音量値であって、かつ、最新の周辺ノイズレベルに適した音量値である。
【０１０４】
ステップＳ２５０では、音・映像出力処理が行われる。音・映像出力処理では、映像出力処理と、音出力処理とが並行して行われる。
【０１０５】
映像出力処理では、制御部１０は、放送コンテンツ、外部コンテンツ、内部コンテンツおよび媒体コンテンツのうち、記憶している最新の選択映像コンテンツの種類と同じ種類のコンテンツを、選択映像コンテンツとして選択する。すなわち、映像表示装置１０００は、複数種類の映像コンテンツのいずれかを選択する。
【０１０６】
そして、制御部１０は、復調部９、映像・音声処理部１５、ＨＤＤ１６および記録媒体読取り部１７のうち、選択映像コンテンツを出力可能な構成要素に対し、当該選択映像コンテンツを要求することにより、選択映像コンテンツを受信する。制御部１０は、受信した選択映像コンテンツを、表示部２０へ送信する。表示部２０は、受信した選択映像コンテンツを表示する。
【０１０７】
また、音出力処理では、制御部１０の音声処理部１１は、受信した選択映像コンテンツに含まれる音声信号のレベルを、調整音量値に対応したレベルに変更する。そして、音声処理部１１は、変更したレベルの音声信号を、スピーカ２，３へ送信する。スピーカ２，３は、受信した音声信号により得られる音を出力する。これにより、選択映像コンテンツの種類および最新の周辺ノイズレベルに適した音量の音が出力される。したがって、表示部２０が選択映像コンテンツを表示するとともに、当該選択映像コンテンツの音が、スピーカ２，３から出力される。
【０１０８】
ステップＳ２５０の処理の後、処理は図３のステップＳ１２０に移行する。
【０１０９】
なお、ステップＳ２１０の処理が開始されて、ステップＳ２５０の処理が開始されるまでの期間は、音非出力期間である。また、ステップＳ２１０，Ｓ２２０，Ｓ２３１、Ｓ２４０，Ｓ２５０が順に実行される期間は、前述の起動期間である。表示部２０が、選択映像コンテンツを表示するタイミングは、ステップＳ２５０が行われる所定タイミングである。以下においては、起動期間において、映像表示装置１０００により選択映像コンテンツ（選択入力の映像）が所定タイミングに表示される前までの期間を、未表示起動期間という。
【０１１０】
そのため、ステップＳ２２０が行われることにより、制御部１０は、未表示起動期間において、ノイズ検出部１２が検出する最新の周辺ノイズレベルを取得する。また、ステップＳ２３１，Ｓ２４０が行われることにより、制御部１０は、未表示起動期間において、選択映像コンテンツの種類（選択入力）に対応するＶＮ特性に基づいて、当該選択映像コンテンツ（選択入力）の音量値を調整する。なお、当該ＶＮ特性は、最新の周辺ノイズレベルに対する音量値を示す特性である。したがって、制御部１０は、ノイズ検出部１２が検出した周辺ノイズのレベルと、選択映像コンテンツの種類（選択入力）とに基づいて、当該選択映像コンテンツ（選択入力）の音量値を調整する。
【０１１１】
次に、選択映像コンテンツが表示された後に行われる、音量を調整する処理（以下、起動後音量調整処理ともいう）について説明する。起動後音量調整処理は、選択映像コンテンツの種類が変更された場合に音量値の調整を行う処理である。起動後音量調整処理は、他の処理とは独立して行われる。起動後音量調整処理は、コンテンツ種類変更操作があった場合に音量調整装置１００により実行される。コンテンツ種類変更操作は、前述したように、表示されている選択映像コンテンツの種類（選択入力）を変更するためのユーザ操作Ｍである。
【０１１２】
リモートコントローラ３０を利用したコンテンツ種類変更操作があった場合、リモートコントローラ３０は、コンテンツ種類変更操作の内容を示すコンテンツ種類変更信号を、受信部１８を介して、制御部１０へ送信する。また、ユーザによる映像表示装置１０００の外部のボタンの操作によるコンテンツ種類変更操作があった場合、受信部１８は、コンテンツ種類変更信号を、制御部１０へ送信する。制御部１０が、コンテンツ種類変更信号を受信した場合、コンテンツ種類変更操作があったと判定する。この場合、起動後音量調整処理が実行される。
【０１１３】
図５は、起動後音量調整処理のフローチャートである。図５において、図４のステップ番号と同じステップ番号の処理は、前述した処理と同様な処理が行われるので詳細な説明は繰り返さない。起動後音量調整処理は、図４の起動期間音量調整処理と比較して、ステップＳ２１０の代わりにステップＳ２１１，Ｓ２１２が行われる点が異なる。以下、起動期間音量調整処理と異なる点を中心に説明する。
【０１１４】
ステップＳ２１１では、コンテンツの種類が変更される。具体的には、制御部１０が、コンテンツ種類変更信号に従って、表示部２０へ送信する選択映像コンテンツを変更する。
【０１１５】
ここで、表示部２０が表示している選択映像コンテンツが放送コンテンツであるとする。また、コンテンツ種類変更信号は、例えば、表示部２０が表示する映像コンテンツを、放送コンテンツから外部コンテンツに切替えるための信号であるとする。この場合、当該コンテンツ種類変更信号を受信した制御部１０は、外部入力端子１４を介して、外部装置から外部コンテンツを受信する。そして、制御部１０は、受信した外部コンテンツを、表示部２０へ送信する。これにより、表示部２０が表示する選択映像コンテンツの種類が変更される。
【０１１６】
ステップＳ２１２では、ステップＳ１２１と同様に、制御部１０が、一時的に、変更後のコンテンツ種類を、最新のコンテンツ種類として記憶する。例えば、制御部１０が、前述の外部コンテンツに切替えるためのコンテンツ種類変更信号を受信した場合、一時的に、「Ｉｅｘ」を、最新のコンテンツ種類として記憶する。
【０１１７】
ここで、表示部２０が表示している選択映像コンテンツが放送コンテンツであるとする。また、コンテンツ種類変更信号は、例えば、表示部２０が表示する映像コンテンツを、放送コンテンツから外部コンテンツに切替えるための信号であるとする。この場合、当該コンテンツ種類変更信号を受信した制御部１０は、外部入力端子１４を介して、外部装置から外部コンテンツを受信する。そして、制御部１０は、受信した外部コンテンツを、表示部２０へ送信する。これにより、表示部２０が表示する選択映像コンテンツの種類が変更される。
【０１１８】
図５のステップＳ２２０〜Ｓ２５０の処理は、図４のステップＳ２２０〜Ｓ２５０の処理と同様なので詳細な説明は繰り返さない。
【０１１９】
なお、ステップＳ２５０の処理が行われることにより、表示部２０が、変更後の種類の選択映像コンテンツを表示する。また、スピーカ２，３が変更後の選択映像コンテンツの音を出力する。これにより、変更後の選択映像コンテンツの種類および最新の周辺ノイズレベルに適した音量の音が出力される。
【０１２０】
なお、ステップＳ２１１が開始されてから、ステップＳ２５０の処理が開始されるまでの期間は、音非出力期間である。また、ステップＳ２１１，Ｓ２１２，Ｓ２２０、Ｓ２３１、Ｓ２４０，Ｓ２５０が順に実行される期間は、前述のコンテンツ種類変更期間である。コンテンツ種類変更操作に従って、表示部２０が、選択映像コンテンツを表示するタイミングは、ステップＳ２５０が行われる所定タイミングである。以下においては、コンテンツ種類変更期間において、映像表示装置１０００により選択映像コンテンツ（選択入力の映像）が所定タイミングに表示される前までの期間を、未表示変更期間という。
【０１２１】
そのため、起動後音量調整処理のステップＳ２２０が行われることにより、制御部１０は、未表示変更期間において、ノイズ検出部１２が検出する最新の周辺ノイズレベルを取得する。また、ステップＳ２３１，Ｓ２４０が行われることにより、制御部１０は、未表示変更期間において、選択映像コンテンツの種類（選択入力）に対応するＶＮ特性に基づいて、当該選択映像コンテンツ（選択入力）の音量値を調整する。
【０１２２】
以上の起動後音量調整処理では、変更後の最新のコンテンツ種類と、最新の周辺ノイズレベルとを示す一致音量情報が存在する場合、音が出力される前に、一致音量情報に基づいた音量値調整が行われる。一方、当該一致音量情報が存在しない場合は、音量値調整は行われない。
【０１２３】
また、起動期間音量調整処理または起動後音量調整処理において、起動期間またはコンテンツ種類変更期間にのみ、音量値調整を行うのは以下の理由による。起動期間またはコンテンツ種類変更期間は、スピーカ２，３が映像コンテンツの音を出力していない前述の音非出力期間である。そのため、周辺ノイズレベルを高い精度で検出できるためである。また、周辺ノイズの変化に応じた選択映像コンテンツの音量変化による違和感を与えないためである。
【０１２４】
言い換えれば、以上の起動期間音量調整処理および起動後音量調整処理において、ステップＳ２２０のノイズ検出は、スピーカ２，３が映像コンテンツの音を出力していない前述の音非出力期間に行われる。そのため、ステップＳ２２０で検出される周辺ノイズレベルは、精度の高いものとなる。そのため、周辺ノイズレベルを利用した音量値調整を高い精度で行うことができる。
【０１２５】
以上説明したように、本実施の形態によれば、制御部１０が、ノイズ検出部１２が検出した周辺ノイズのレベルと、選択映像コンテンツの種類（選択入力）に対応して記憶されている周辺ノイズのレベルおよび音量値とに基づいて、選択映像コンテンツ（選択入力）の音量値を調整する。すなわち、制御部１０は、周辺ノイズのレベルに加え、選択映像コンテンツの種類（選択入力）に対応して記憶されている周辺ノイズのレベルおよび音量値を利用して、選択映像コンテンツ（選択入力）の音量値を調整する。これにより、精度の高い音量値の調整を行うことができる。
【０１２６】
また、上記の音量値の調整は、起動期間またはコンテンツ種類変更期間において、周辺ノイズのレベルと、選択映像コンテンツの種類（選択入力）とに基づいて、自動で行われる。そのため、ユーザの音量値の調整操作を軽減することができる。したがって、ユーザの利便性の向上を実現することができる。
【０１２７】
＜実施の形態１の変形例＞
本実施の形態の変形例では、ユーザ毎に音量情報を記憶し、ユーザにあった音量調整を行う。本実施の形態の変形例に係る音量調整装置は、実施の形態１の音量調整装置１００である。
【０１２８】
次に、本実施の形態の変形例における情報を記録するための処理（以下、情報記憶処理Ａともいう）について説明する。情報記憶処理Ａは、主に、図３の情報記憶処理に対し、ユーザを識別する処理を加えた処理である。
【０１２９】
図６は、情報記憶処理Ａのフローチャートである。情報記憶処理Ａは、他の処理とは独立して行われる。情報記憶処理Ａは、映像表示装置１０００の起動の際に開始される。情報記憶処理Ａは、音量調整装置１００により行われる。
【０１３０】
なお、情報記憶処理Ａが行われる前に、映像表示装置１０００を使用する複数のユーザの顔の特徴情報を記憶する顔情報登録処理が行われる。顔情報登録処理は、例えば、ユーザによる映像表示装置１０００の操作によって行われる。
【０１３１】
顔情報登録処理は、画像処理部１３が、カメラ６で撮影したユーザの顔の特徴を示す顔情報を生成し、制御部１０が、当該顔情報を記憶部１０ａに記憶させる処理である。当該顔情報は、例えば、眼、鼻および口の相対位置等を示す情報である。すなわち、顔情報は、ユーザを特定する情報である。当該顔情報登録処理が、映像表示装置１０００を使用するユーザ全てに対し繰り返し行われることにより、記憶部１０ａには複数の顔情報が記憶（登録）される。
【０１３２】
以下においては、記憶部１０ａに記憶されている顔情報を登録顔情報ともいう。なお、記憶部１０ａに記憶されている複数の登録顔情報の各々には、異なるユーザ識別子が対応付けられる。ユーザ識別子は、例えば、Ｕ１，Ｕ２，・・・，Ｕｓ（ｓ：自然数）である。すなわち、ユーザ識別子は、ユーザを特定するものである。
【０１３３】
情報記憶処理ＡのステップＳ３０１では、ユーザ識別処理が行われる。ユーザ識別処理では、カメラ６が、表示部２０の表示面２０ｎと対向する、映像表示装置１０００の周辺（所定範囲）の映像である周辺映像を取得する。そして、カメラ６は、周辺映像を、画像処理部１３へ送信する。
【０１３４】
画像処理部１３は、前述した顔認識処理により、受信した周辺映像がユーザ（人間）の顔を示すか否かを判定する。周辺映像がユーザの顔を示さない場合、このユーザ識別処理は終了する。また、周辺映像が示すユーザの顔の数が複数の場合、このユーザ識別処理は終了する。
【０１３５】
周辺映像が示すユーザの顔の数が１の場合、画像処理部１３は、前述した顔認識処理により、ユーザの顔の画像の特徴を抽出することにより、ユーザを識別（検出）する。そして、画像処理部１３は、当該ユーザの顔の画像の特徴を示す顔情報を生成する。また、前述したように、カメラ６が取得する周辺映像は、表示部２０の表示面２０ｎと対向する、映像表示装置１０００の周辺（所定範囲）の映像である。すなわち、画像処理部１３は、周辺映像を用いて、所定範囲に存在するユーザを識別する。
【０１３６】
以下においては、ユーザ識別処理において、画像処理部１３が生成した顔情報を、識別顔情報ともいう。そして、画像処理部１３は、識別顔情報を、制御部１０へ送信する。
【０１３７】
ステップＳ３０２では、識別したユーザが登録されているか否かが判定される。具体的には、画像処理部１３が、識別顔情報の特徴と一致する特徴を有する登録顔情報が記憶部１０ａに記憶されているか否かを判定する。以下においては、識別顔情報の特徴と一致する特徴を有する登録顔情報を、一致登録顔情報ともいう。
【０１３８】
ステップＳ３０２において、ＹＥＳならば、画像処理部１３は、一致登録顔情報に対応づけられたユーザ識別子を、制御部１０へ送信する。そして、処理は、ステップＳ３０３に移行する。
【０１３９】
一方、ステップＳ３０２において、ＮＯならば、処理は、図３のステップＳ１２０に移行する。すなわち、ステップＳ３０２において、ＮＯならば、前述した図３のステップＳ１２０〜Ｓ１５０の処理が行われる。なお、ステップＳ３０１において、識別顔情報が生成されずに、ユーザ識別処理が終了した場合も、処理は、図３のステップＳ１２０に移行する。
【０１４０】
ステップＳ３０３では、制御部１０が、受信したユーザ識別子を、一時的に記憶する。ユーザ識別子は、例えば、Ｕ１であるとする。
【０１４１】
ステップＳ３１０では、ステップＳ１１０と同様に、制御部１０が、起動コンテンツ（選択映像コンテンツ）の種類を、一時的に、最新のコンテンツ種類として記憶する。
【０１４２】
ステップＳ３２０，Ｓ３２１，Ｓ３３０，Ｓ３３１，Ｓ３４０では、それぞれ、図３のステップＳ１２０，Ｓ１２１，Ｓ１３０，Ｓ１３１，Ｓ１４０と同様な処理が行われるので詳細な説明は繰り返さない。
【０１４３】
ステップＳ３５０Ａでは、音量情報記憶処理Ａが行われる。音量情報記憶処理Ａでは、制御部１０が、一時的に記憶している、ユーザ識別子、最新のコンテンツ種類、最新の周辺ノイズレベルおよび最新の変更済音量値を対応づけた情報を、記憶部１０ａに記憶させる。以下においては、ユーザ識別子、最新のコンテンツ種類、最新の周辺ノイズレベルおよび最新の変更済音量値を対応づけた情報を、ユーザ対応音量情報ともいう。
【０１４４】
ここで、例えば、ユーザ識別子、最新のコンテンツ種類、最新の周辺ノイズレベルおよび最新の変更済音量値が、それぞれ、Ｕ１、Ｉｔｖ、Ｎ１およびＶ１であるとする。この場合、記憶部１０ａには、ユーザ対応音量情報「Ｕ１：Ｉｔｖ：Ｎ１：Ｖ１」が記憶される。
【０１４５】
以下においては、ノイズ検出部１２が検出する最新の周辺ノイズのレベルに対する音量値を示す特性をＶＮ特性ともいう。ＶＮ特性は、例えば、前述のユーザ対応音量情報「Ｕ１：Ｉｔｖ：Ｎ１：Ｖ１」のうちの「Ｎ１：Ｖ１」である。すなわち、ＶＮ特性「Ｎ１：Ｖ１」は、ユーザ識別子Ｕ１および最新のコンテンツ種類「Ｉｔｖ」に対応付けられる。すなわち、ステップＳ３１０，Ｓ３５０Ａの処理により、制御部１０は、画像処理部１３により識別されたユーザ毎に、ＶＮ特性を記憶する。
【０１４６】
なお、１回目のステップＳ３５０Ａの処理において、記憶対称の周辺ノイズレベルが、所定範囲Ｎｍ１内の値である場合、ステップＳ１５０と同様、ユーザ対応音量情報の周辺ノイズレベルは、Ｎｍ１としてもよい。この場合、記憶部１０ａには、ユーザ対応音量情報「Ｕ１：Ｉｔｖ：Ｎｍ１：Ｖ１」が記憶される。「Ｕ１：Ｉｔｖ：Ｎｍ１：Ｖ１」のうち「Ｎｍ１：Ｖ１」が、ＶＮ特性である。
【０１４７】
なお、２回目以降のステップＳ３５０Ａの処理において、記憶対象のユーザ対応音量情報が示すユーザ識別子およびコンテンツ種類が既に記憶されている場合、ステップＳ１５０と同様、最新の周辺ノイズレベルは、所定範囲Ｎｍ１，Ｎｍ２，・・・，Ｎｍｋ（ｋ：自然数）のうち、当該最新の周辺ノイズレベルを示す所定範囲に設定される（割り当てられる）。そして、制御部１０は、設定された所定範囲を、ユーザ対応音量情報の周辺ノイズレベルとして、記憶部１０ａに記憶させる。
【０１４８】
また、２回目以降のステップＳ３５０Ａの処理において、記憶対象のユーザ対応音量情報が示すユーザ識別子およびコンテンツ種類が既に記憶されているとする。この場合、ステップＳ１５０と同様、既に記憶されている、同じユーザ識別子およびコンテンツ種類に対応する音量値と、最新の変更済音量値との平均値Ｖｍが、ユーザ対応音量情報の音量値として、記憶部１０ａに記憶される。
【０１４９】
ステップＳ３５０Ａの処理の後、再度、ステップＳ３２０の処理が行われる。
【０１５０】
音量変更操作が複数回行われ、ステップＳ３５０Ａが複数回行われた場合、記憶部１０ａには、例えば、「Ｕ１：Ｉｔｖ：Ｎｍ１：Ｖｍ」を示すユーザ対応音量情報が記憶される。「Ｕ１：Ｉｔｖ：Ｎｍ１：Ｖｍ」のうち「Ｎｍ１：Ｖｍ」が、ＶＮ特性である。すなわち、ＶＮ特性は、最新の周辺ノイズレベルに適する音量値（例えば、Ｖｍ）を示す特性である。つまり、ＶＮ特性は、最新の周辺ノイズレベルに対する音量値を示す特性である。
【０１５１】
なお、起動期間音量調整処理Ａでは、顔情報を使用したが、これに限定されない。例えば、顔情報の代わりに、事前に登録したユーザの顔の画像を使用してもよい。
【０１５２】
次に、本実施の形態の変形例において、起動期間に行われる音量調整処理について説明する。以下においては、起動期間に行われる音量調整処理を、起動期間音量調整処理Ａともいう。起動期間音量調整処理Ａは、音量調整装置１００により行われる。
【０１５３】
図７は、起動期間音量調整処理Ａのフローチャートである。図７において、図４のステップ番号と同じステップ番号の処理は、前述した処理と同様な処理が行われるので詳細な説明は繰り返さない。以下、図４の起動期間音量調整処理と異なる点を中心に説明する。
【０１５４】
ステップＳ２１０、Ｓ２２０では、図４のステップＳ２１０、Ｓ２２０の処理と同様なので詳細な説明は繰り返さない。これにより、制御部１０が、一時的に、最新のコンテンツ種類（例えば、「Ｉｔｖ」）および最新の周辺ノイズレベルを記憶する。
【０１５５】
ステップＳ２２１では、ユーザ識別処理が行われる。ユーザ識別処理は、ステップＳ３０１のユーザ識別処理と同様なので詳細な説明は繰り返さない。この処理により、画像処理部１３は、識別顔情報を、制御部１０へ送信する。
【０１５６】
ステップＳ２２２では、ステップＳ３０２と同様、識別したユーザが登録されているか否かが判定されるので詳細な説明は繰り返さない。ステップＳ２２２において、ＹＥＳならば、画像処理部１３は、一致登録顔情報に対応づけられたユーザ識別子を、制御部１０へ送信する。そして、処理はステップＳ２２３に移行する。一方、ステップＳ２２２において、ＮＯならば、処理はステップＳ２３１Ａに移行する。なお、ステップＳ２２１において、識別顔情報が生成されずに、ユーザ識別処理が終了した場合も、処理はステップＳ２３１Ａに移行する。
【０１５７】
ステップＳ２２３では、ステップＳ３０３と同様、制御部１０が、受信したユーザ識別子を、一時的に記憶する。ユーザ識別子は、例えば、Ｕ２であるとする。
【０１５８】
ステップＳ２３１Ａでは、制御部１０が、一致音量情報Ａが、記憶部１０ａに記憶されているか否かを判定する。一致音量情報Ａとは、制御部１０が記憶しているユーザ識別子、最新のコンテンツ種類および最新の周辺ノイズレベルを示すユーザ対応音量情報である。ユーザ識別子が、Ｕ２である場合、一致音量情報Ａは、例えば、ＶＮ特性「Ｎｍ１：Ｖｍ」を示すユーザ対応音量情報「Ｕ２：Ｉｔｖ：Ｎｍ１：Ｖｍ」である。この場合、ＶＮ特性「Ｎｍ１：Ｖｍ」は、ユーザ識別子（例えば、Ｕ２）により特定されるユーザおよび最新のコンテンツ種類（選択映像コンテンツ）に対応する特性である。
【０１５９】
ステップＳ２３１Ａにおいて、ＹＥＳならば、処理はステップＳ２４０Ａに移行する。一方、ステップＳ２３１Ａにおいて、ＮＯならば、音量値調整は行われず、処理は図６のステップＳ３２０に移行する。
【０１６０】
ステップＳ２４０Ａでは、音量値調整が行われる。具体的には、制御部１０が、一致音量情報Ａが示す音量値（例えば、Ｖｍ（２２））を、選択映像コンテンツの音量値に調整（設定）する。以下においては、調整された音量値を、調整音量値ともいう。一致音量情報Ａが示す音量値は、ユーザ識別子で特定されるユーザが設定した音量値であって、かつ、最新の周辺ノイズレベルに適した音量値である。
【０１６１】
ステップＳ２５０では、実施の形態１で説明した処理と同様なので詳細な説明は繰り返さない。この処理により、ユーザ識別子で特定されるユーザに適した音量であって、かつ、選択映像コンテンツの種類および最新の周辺ノイズレベルに適した音量の音が出力される。
【０１６２】
ステップＳ２５０の処理の後、処理は図６のステップＳ３２０に移行する。
【０１６３】
起動期間音量調整処理ＡのステップＳ２２１〜Ｓ２２３，Ｓ２３１Ａ，Ｓ２４０Ａが行われることにより、制御部１０は、画像処理部１３により識別されたユーザの顔情報に対応する一致音量情報Ａが示すＶＮ特性に基づいて、選択映像コンテンツ（選択入力）の音量値を調整する。すなわち、制御部１０は、画像処理部１３により識別されたユーザに対応するＶＮ特性に基づいて、選択映像コンテンツ（選択入力）の音量値を調整する。
【０１６４】
また、起動期間音量調整処理Ａと同様な音量値の調整は、コンテンツ種類変更期間においても行われる。以下においては、コンテンツ種類変更操作があった場合に行われる処理を、起動後音量調整処理Ａともいう。起動後音量調整処理Ａは、図７の起動期間音量調整処理ＡのステップＳ２１０を、図５のステップＳ２１１，Ｓ２１２に置き換えた処理であるので詳細な説明は繰り返さない。
【０１６５】
以上の起動期間音量調整処理Ａまたは起動後音量調整処理Ａにより、以下の処理が行われる。まず、起動期間（電源投入時）またはコンテンツ種類変更期間（入力変更時）に、カメラ６が取得した映像をもとに、画像処理部１３でユーザが識別（特定）される。そして、制御部１０は、ユーザを識別するためのユーザ識別子を用いて、ユーザ対応音量情報に基づいて音量値を自動で調整（設定）する。なお、ユーザが複数存在する場合は、音量の自動調整は実施されない。
【０１６６】
以上説明したように、実施の形態１の変形例によれば、ユーザ毎にＶＮ特性を記憶する。すなわち、ユーザ毎に、当該ユーザが調整した音量値が学習（記憶）される。また、識別されたユーザに対応するＶＮ特性に基づいて、選択映像コンテンツ（選択入力）の音量値を調整する。すなわち、識別されたユーザ毎に、当該ユーザに適した（対応する）音量値の調整を自動で行う。したがって、ユーザの利便性の向上を実現することができる。また、実施の形態１と同様、精度の高い音量値の調整を行うことができる。
【０１６７】
なお、ユーザ対応音量情報を記憶（保有）するか否かは、ユーザの事前設定もしくは設計段階の仕様によって決定される。そのため、ユーザ対応音量情報は未使用としてもよい。
【０１６８】
（その他の変形例）
以上、本発明に係る音量調整装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１６９】
また、音量調整装置１００は、図２に示される全ての構成要素を含まなくてもよい。すなわち、音量調整装置１００は、本発明の効果を実現できる最小限の構成要素のみを含めばよい。例えば、音量調整装置１００は、マイク４、ノイズ検出部１２および制御部１０のみを含む構成であってもよい。
【０１７０】
また、本発明は、音量調整装置１００が備える特徴的な構成部の動作をステップとする音量調整方法として実現してもよい。また、本発明は、そのような音量調整方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１７１】
上記実施の形態で用いた全ての数値は、本発明を具体的に説明するための一例の数値である。すなわち、本発明は、上記実施の形態で用いた各数値に制限されない。
【０１７２】
また、本発明に係る音量調整方法は、例えば、図４の処理の一部または全てに相当する。本発明に係る音量調整方法は、図４における、対応する全てのステップを必ずしも含む必要はない。すなわち、本発明に係る音量調整方法は、本発明の効果を実現できる最小限のステップのみを含めばよい。例えば、本発明に係る音量調整方法は、図４のステップＳ２２０、Ｓ２４０のみで構成されてもよい。
【０１７３】
また、音量調整方法における各ステップの実行される順序は、本発明を具体的に説明するための一例であり、上記以外の順序であってもよい。また、音量調整方法におけるステップの一部と、他のステップとは、互いに独立して並列に実行されてもよい。
【０１７４】
なお、音量調整装置１００の各構成要素の一部は典型的には集積回路であるＬＳＩ（Large Scale Integration）として実現されてもよい。例えば、制御部１０、ノイズ検出部１２および画像処理部１３は、集積回路として実現されてもよい。
【０１７５】
なお、本発明は、その発明の範囲内において、実施の形態、実施の形態の変形例を自由に組み合わせたり、実施の形態、実施の形態の変形例を適宜、変形、省略することが可能である。
【産業上の利用可能性】
【０１７６】
本発明は、精度の高い音量値の調整を行うことが可能な音量調整装置として、利用することができる。
【符号の説明】
【０１７７】
２，３  スピーカ、４，５  マイク、６  カメラ、１０  制御部、１２  ノイズ検出部、１３  画像処理部、２０  表示部、１００  音量調整装置、１０００  映像表示装置。
【図１】
2014033378.tif 000003
【図２】
2014033378.tif 000004
【図３】
2014033378.tif 000005
【図４】
2014033378.tif 000006
【図５】
2014033378.tif 000007
【図６】
2014033378.tif 000008
【図７】
2014033378.tif 000009